(57)【要約】【課題】嵩張りやゴワゴワ感がなく、おしゃれ感を損なわずに表から目立たない汗取り機能を備えた上半身用衣類を提供すること。【解決手段】前身頃１と、後身頃２と、両側の脇身頃３と、汗取りパッド４とを備え、汗取りパッド４が脇身頃３の横幅と同じ横幅の生地片からなり、この汗取りパッド４を脇身頃３の脇部内側に配置し、この汗取りパッド４の横幅方向両端部４ｃ、４ｃを脇身頃３の横幅方向両端部３ａ，３ａと共に前身頃１及び後身頃２に縦方向に沿って一連又は部分的に縫合して中空ポケット部５を形成してある。【選択図】図１
2010013754.tif 000002
【特許請求の範囲】
【請求項１】
前身頃（１）と、後身頃（２）と、両側の脇身頃（３）と、汗取りパッド（４）とを備え、汗取りパッド（４）が脇身頃（３）の横幅と同じ横幅の生地片からなり、この汗取りパッド（４）を脇身頃（３）の脇部内側に配置し、この汗取りパッド（４）の横幅方向両端部（４ｃ、４ｃ）を脇身頃（３）の横幅方向両端部（３ａ，３ａ）と共に前身頃（１）及び後身頃（２）に縦方向に沿って一連又は部分的に縫合して中空ポケット部（５）を形成してあることを特徴とする上半身用衣類。
【請求項２】
前記汗取りパッド（４）は、縦方向両端を前記中空ポケット部（５）に連通する開口端（５ａ、５ｂ）としてあることを特徴とする請求項１に記載の上半身用衣類。
【請求項３】
前記汗取りパッド（４）は、脇身頃（３）の脇下部から袖部側（４ａ）と胴体側（４ｂ）に跨って配置されていることを特徴とする請求項１又は２に記載の上半身用衣類。
【請求項４】
前記汗取りパッド（４）が半袖に適用され、前記汗取りパッド（４）の袖部側（４ａ）端部が袖部（６）の開口端まで延長され、この延長端で袖部下側生地片（６ｂ）に袖部（６）の開口端の周方向に沿って縫着され、前記汗取りパッド（４）の袖部側（４ａ）の横幅方向両端部（４ｃ、４ｃ）を袖部（６）付け根から袖部（６）開口端まで開口端としてあることを特徴とする請求項３に記載の上半身用衣類。
【請求項５】
前記汗取りパッド（４）は、熱融着性繊維と該繊維よりも高融点の他の繊維とを含み、予め、熱融着性繊維の融点以上で他の繊維の融点以下の温度で熱セットされて解れ止め処理された生地片で構成され、該生地片の周縁が切りっぱなし状態のままで使用されていることを特徴とする請求項１〜４の何れかに記載の上半身用衣類。
【発明の詳細な説明】
【技術分野】
【０００１】
本発明は、脇下部の汗取り機能を備えた上半身用衣類の改良に関するものである。
【背景技術】
【０００２】
この種の脇下部に汗取りパッドを装着した上半身用衣類は、既に、多数提案されている（例えば、特許文献１等参照）。
【特許文献１】特開２００５−２９０５８４号公報
【発明の開示】
【発明が解決しようとする課題】
【０００３】
しかしながら、従来品は、汗取りパッドが身頃生地に対する袖生地の付け根部分を境界として身頃生地側と袖生地側とに略半円状の周縁を有する形状に裁断され、略半円状の弦に相当する部分の弦両端だけ、或いは、弦両端を含む途中複数箇所を部分的乃至全長に亘って袖生地の付け根部分に縫着しているため、汗取りパッドの略半円状の周縁部分が身頃生地及び袖生地に対して自由端となっており、この自由端が、洗濯後に縮んで丸く巻き込み状態となって嵩張り、ゴワゴワして違和感を与え、脇下部に、いかにも汗取りパッドが取り付けてあることが判る不具合があった。
【０００４】
しかも、上記汗取りパッドは、周縁の解れ止めのために折り返し縫いして段差ができ、分厚くなっていたり、縁飾り縫いしてあるため、前記嵩張りやゴワゴワ感が一層目立つ不具合があり、若い人には恥じらいや、おしゃれ感に欠ける等の理由で敬遠され勝ちであった。
本発明は、嵩張りやゴワゴワ感がなく、おしゃれ感を損なわずに表から目立たない汗取り機能を備えた上半身用衣類を提供することを目的としている。
【課題を解決するための手段】
【０００５】
前記目的を達成するために本発明に係る上半身用衣類は、前身頃と、後身頃と、両側の脇身頃と、汗取りパッドとを備え、汗取りパッドが脇身頃の横幅と同じ横幅の生地片からなり、この汗取りパッドを脇身頃の脇部内側に配置し、この汗取りパッドの横幅方向両端部を脇身頃の横幅方向両端部と共に前身頃及び後身頃に縦方向に沿って一連又は部分的に縫合して中空ポケット部を形成してあることを特徴としている。なお、本発明において、汗取りパッドの横幅は、脇身頃の横幅と一致する場合だけでなく、ほぼ同じ程度の横幅を有しておればよいため、このような意味で使用していることを理解されたい。
【０００６】
この構成によれば、汗取りパッドの生地形状自体が脇身頃生地と同じ横幅で整合せしめられているため、表から目立ち難く、しかも、汗取りパッドの横幅方向両端が脇身頃の横幅方向両端と共に前身頃及び後身頃に縦方向に沿って一連又は部分的に縫合してあるため、汗取りパッドの周縁が自由に縮まることを横幅方向両端で拘束して阻止させることができ、洗濯後においても脇身頃の生地が汗取りパッドの縮みや丸まりを横幅方向両端側で拘束させて防止させることができ、嵩張りやゴワゴワ感を発生させることが阻止される。さらに、汗取りパッドが、脇身頃に対して中空ポケット部を形成するように縫合されているため、中空ポケット部内に高吸汗性パッド等の別パッドを挿入することもできる。
【０００７】
また、前記汗取りパッドは、縦方向両端を前記中空ポケット部に連通する開口端としてある。
この構成によれば、汗取りパッドの縦方向両端の縫目ラインが横幅方向に表れることがないため、汗取りパッドを縫い付けてあることが表から目立たず、前記開口端のいずれからでも中空ポケット部内に高吸汗性パッド等の別パッドを挿脱することができる。
また、前記汗取りパッドは、脇身頃の脇下部から袖部側と胴体側に跨って配置されている。
【０００８】
この構成によれば、脇下部の広い範囲に亘って汗取りパッドを配置することができる。
また、前記汗取りパッドが半袖に適用され、前記汗取りパッドの袖部側端部が袖部の開口端まで延長され、この延長端で袖部下側生地片に袖部の開口端の周方向に沿って縫着され、前記汗取りパッドの袖部側の横幅方向両端を袖部付け根から袖部開口端まで開口端としてある。
この構成によれば、汗取りパッドを表から目立たずに取り付けることができ、しかも、汗取りパッドの周縁が自由に縮まることを防止して嵩張りやゴワゴワ感の発生をなくし、しかも、中空ポケット部内に高吸汗性パッド等の別パッドを挿脱することができる。
【０００９】
また、前記汗取りパッドは、熱融着性繊維と該繊維よりも高融点の他の繊維とを含み、予め、熱融着性繊維の融点以上で他の繊維の融点以下の温度で熱セットされて解れ止め処理された生地片で構成され、該生地片の周縁が切りっぱなし状態のままで使用されている。
この構成によれば、汗取りパッドの周縁から段差をなくして薄くし、嵩張りをなくすことができ、汗取りパッドが表から目立ち難くすることができる。
【発明の効果】
【００１０】
本発明によれば、嵩張りやゴワゴワ感がなく、おしゃれ感を損なわずに表から目立たない汗取り機能を備えた上半身用衣類を提供することができる。
【発明を実施するための最良の形態】
【００１１】
以下、本発明の実施形態を図面を参照して説明する。
本発明に係る上半身用衣類は、図１〜図５に示すように、前身頃１と、後身頃２と、両側の脇身頃３，３と、汗取りパッド４，４とを備えている。
上記汗取りパッド４は、図５に示すように、脇身頃３の横幅と同じ乃至ほぼ同じ横幅の生地片からなり、脇身頃３の脇部内側に配置されている。
また、汗取りパッド４は、図１及び図５右半部に示すように、脇身頃３の脇下部を境界として袖部側４ａと胴体側４ｂに跨って配置されている。そして、汗取りパッド４は、図４（Ａ）に示すように、袖部側４ａと胴体側４ｂとの境界側端部が脇下部の半円弧形状に対応させて半円弧形状に裁断され、この半円弧形状の端部同士を、図４（Ｂ）に示すように、縫合し、これを広げて、図３に示すように、横幅方向両端部４ｃ，４ｃを脇身頃３の横幅方向両端部３ａ，３ａと共に前身頃１及び後身頃２の横幅方向両端部１ａ，２ａに縦方向に沿って一連に縫合して汗取りパッド４と脇身頃３との間に中空ポケット部５を形成している。
【００１２】
なお、中空ポケット部５は、図１〜図３上では、隙間として表すために隙間の大きさを誇張して表示しているが、実際の製品では、生地片同士が重合接触した状態（図５右半部参照）で製作されている。
前後身頃１，２及び脇身頃３の上部両側には、袖部６が縫合して取り付けられている。この袖部６は、図１、図２に示すように、上側生地片６ａと下側生地片６ｂとに分けて裁断されたものが、前後身頃１，２と脇身頃３との身頃部縫合ライン７に連続させた袖部縫合ライン８に沿って縫合されている。そして、汗取りパッド４の袖部側４ａは、横幅方向両端部４ｃ、４ｃが、図２に示すように、袖部６の上側生地片６ａと下側生地片６ｂとの袖縫合ライン８に重合させた状態で縫合されている。
【００１３】
上記縫合形態を採用していることによって、汗取りパッド４は、図１に示すように、縦方向両端に前記中空ポケット部５に連通する開口端５ａ、５ｂが形成されている。
袖部６は、半袖、七分袖、長袖のいずれであってもよい。そして、半袖の場合には、上記実施形態とは別の実施形態として、次のようにしてもよい。即ち、汗取りパッド４の袖部側４ａ端部が袖部６の開口端まで延長され、この延長端で袖部６の下側生地片６ｂに袖部６の開口端の周方向に沿って縫着され、この場合、汗取りパッド４の袖部側４ａの横幅方向両端４ｃ、４ｃを袖部６付け根から袖部６開口端まで開口端として実施してもよい。
【００１４】
前記汗取りパッド４は、熱融着性繊維（例えば、ポリウレタン繊維等の比較的に低融点の熱融着性繊維が好ましい。）と該繊維よりも高融点の他の繊維（例えば、綿、ポリエステル、ナイロン、ポリエチレン、キュプラ等の前記熱融着性繊維よりも高融点の繊維が好ましい。）とを含み、予め、熱融着性繊維の融点以上で他の繊維の融点以下の温度で熱セットされて解れ止め処理された生地片で構成されるのが好ましく、しかも、該生地片の周縁が切りっぱなし状態のままで使用されるのが好ましい。
また、前記汗取りパッド４は、前記各身頃生地と共生地でもよく、また、高吸汗性生地でもよい。
【００１５】
前記各身頃生地は、各種の生地が作用可能であるが、汗取りパッド４と共生地とする場合では、熱融着性繊維を含む糸で編成されたフライス生地、例えば、アクティコット（旭化成工業（株）社製  商品名、繊維配合率：キュプラ２５．２％、ポリエステル２５．２％、綿３３．４％、ポリウレタン（熱融着性繊維）１６．２％）が使用可能である。
以上説明したように、本発明に係る上半身用衣類は、汗取りパッド４の生地形状自体が脇身頃３の生地と同じ横幅で整合せしめられているため、表から目立ち難く、しかも、汗取りパッド４の横幅方向両端４ｃ、４ｃが脇身頃３の横幅方向両端３ａ，３ａと共に前身頃１及び後身頃２に縦方向に沿って一連に縫合してあるため、汗取りパッド４の周縁が自由に縮まることを横幅方向両端４ｃ、４ｃで拘束して阻止させることができ、洗濯後においても脇身頃３の生地が汗取りパッド４の縮みや丸まりを横幅方向両端４ｃ、４ｃ側で拘束させて防止させることができ、嵩張りやゴワゴワ感を発生させることが阻止される。さらに、汗取りパッド４が、脇身頃３に対して中空ポケット部５を形成するように縫合されているため、中空ポケット部５内に高吸汗性パッド等の別パッドを挿入することもできる。
【００１６】
また、前記汗取りパッド４は、縦方向両端を前記中空ポケット部５に連通する開口端５ａ、５ｂとしてあるため、汗取りパッド４の縦方向両端の縫目ラインが横幅方向に表れることがないため、汗取りパッド４を縫い付けてあることが表から目立たず、前記開口端５ａ、５ｂのいずれからでも中空ポケット部５内に高吸汗性パッド等の別パッドを挿脱することができる。
また、前記汗取りパッド４は、脇身頃３の脇下部から袖部側４ａと胴体側４ｂに跨って配置されているため、脇下部の広い範囲に亘って汗取りパッド４を配置することができる。
【００１７】
また、前記汗取りパッド４が半袖に適用され、前記汗取りパッド４の袖部側４ａ端部が袖部６の開口端まで延長され、この延長端で袖部下側生地片６ｂに袖部６の開口端の周方向に沿って縫着され、前記汗取りパッド４の袖部側４ａの横幅方向両端４ｃ、４ｃを袖部６付け根から袖部６開口端まで開口端とした場合でも、汗取りパッド４を表から目立たずに取り付けることができ、しかも、汗取りパッド４の周縁が自由に縮まることを防止して嵩張りやゴワゴワ感の発生をなくし、しかも、中空ポケット部５内に高吸汗性パッド等の別パッドを挿脱することができる。
【００１８】
また、前記汗取りパッド４は、熱融着性繊維と該繊維よりも高融点の他の繊維とを含み、予め、熱融着性繊維の融点以上で他の繊維の融点以下の温度で熱セットされて解れ止め処理された生地片で構成され、該生地片の周縁が切りっぱなし状態のままで使用されることによって、汗取りパッド４の周縁から段差をなくして薄くし、嵩張りをなくすことができ、汗取りパッド４が表から目立ち難くすることができる。
本発明の実施形態は、以上からなるが、本発明は、上記実施形態にのみ制約されるものではなく、例えば、汗取りパッド４の横幅方向両端部４ｃ、４ｃと脇身頃３の横幅方向両端部３ａ，３ａとの縦方向に沿う縫合は、縦方向両端とその途中の複数箇所を部分的に縫合して実施してもよい。
【００１９】
また、本発明は、半袖、長袖、七部袖等の袖付き肌着やインナーウエア、ブラウス等の女性用の上半身用衣類に適用することができ、勿論、男性用の上半身用衣類に適用することができる。
【図面の簡単な説明】
【００２０】
【図１】本発明に係る上半身用衣類の概略縦断正面図である。
【図２】図１のＡ−Ａ線断面図である。
【図３】図１のＢ−Ｂ線断面図である。
【図４】（Ａ）は汗取りパッドの分解斜視図、（Ｂ）はその縫合図である。
【図５】本発明に係る上半身用衣類の概略正面図で、左半部は表側、右半部は裏側（肌側）を示している。
【符号の説明】
【００２１】
１    前身頃
２    後身頃
３    脇身頃
４    汗取りパッド
５    中空ポケット部
６    袖部
７    身頃部縫合ライン
８    袖部縫合ライン
【図１】
2010013754.tif 000003
【図２】
2010013754.tif 000004
【図３】
2010013754.tif 000005
【図４】
2010013754.tif 000006
【図５】
2010013754.tif 000007